(57)【要約】 【課題】複写機から供給される用紙に対してパンチ処理或いはパンチ処理とリングバインダ装着処理などの後処理を行う用紙処理装置の処理速度向上を図る。 【解決手段】用紙処理装置は、前段の複写機と通信し、複写機側の用紙排出完了センサの排出完了信号を受信した時点で搬送部の送り速度を高速化する制御手段を備えている。用紙の後端が用紙処理装置内へ完全に引込まれてから搬送部を高速化する従来機よりも早期に変速することになり、次に送込まれる用紙との間隔が拡張され、パンチ処理などに時間的余裕が生じて処理速度の高速な複写機に対応することができる。【選択図】図3
2008044687.tif 000002
【特許請求の範囲】
【請求項１】
複写機から供給される用紙に対してパンチ処理或いはパンチ処理とリングバインダ装着処理などの後処理を行う用紙処理装置であって、用紙取込み前及び用紙取込み時には、用紙の搬送部の送り速度を複写機側の送り速度と等速に制御し、用紙引込み検知センサにより用紙引込み完了を検知した時点で搬送部の送り速度を高速化してパンチ処理などへ搬送する制御手段を備えた用紙処理装置において、
複写機側に設けられた用紙排出完了センサの排出完了信号を受信した時点で搬送部の送り速度を高速化する制御手段を備えたことを特徴とする用紙処理装置。
【請求項２】
上記用紙引込み検知センサにより用紙引込み完了を検知した時点で搬送部の送り速度を高速化してパンチ処理などへ搬送する制御手段と、複写機側に設けられた用紙排出完了センサの排出完了信号を受信した時点で搬送部の送り速度を高速化する制御手段とを任意に選択できる切換え手段を備えた請求項１記載の用紙処理装置。
【請求項３】
複写機の制御部と通信し、複写機の用紙排出完了信号通信機能の有無に応じて、用紙引込み検知センサにより用紙引込み完了を検知した時点で搬送部の送り速度を高速化してパンチ処理などへ搬送する制御手段と、複写機側に設けられた用紙排出完了センサの排出完了信号を受信した時点で搬送部の送り速度を高速化する制御手段とを自動的に切換える制御手段を備えた請求項１記載の用紙処理装置。
【発明の詳細な説明】
【技術分野】
【０００１】
この発明は、複写機から排出される用紙に対してパンチ処理やバインド処理を行う用紙処理装置に関するものであり、特に、複写機からの用紙供給速度の高速化に対応できるようにした用紙処理装置に関するものである。
【背景技術】
【０００２】
複写機に後処理装置としてステープラやパンチ装置を内蔵し、複写に続いてステープルによる綴じ処理やパンチ処理を自動実行するもの（特許文献1、2等）は広く知られており、複写機から排出される用紙にパンチ処理した後に、一冊分の用紙にリングバインダを装着して連続製本する後処理装置の提案もある（特許文献3）。特許文献3の後処理装置は本願出願人の出願になるものであるが、本願出願人は特許文献3の構成をさらに発展させた後処理装置を特許出願2005-216562号として出願している。ここには、複写機から一枚ずつ排出される用紙に対してパンチ処理を行い、一冊分の用紙へのパンチ処理の後に、その一冊分の用紙へリングバインダを装着して排出する後処理装置の構成が詳細に提示されている。
【０００３】
複写機から一枚ずつ供給される用紙に対して逐次パンチ処理を行う場合、用紙処理装置内のパンチ機構部で用紙を一旦停止させてパンチ処理を行い、用紙を次工程へ送出すが、複写機の処理速度が高速化するにつれて用紙間隔を確保することが困難になる。即ち、一枚の用紙を停止させてパンチ処理を行っている間に、パンチ部へ次の用紙が送込まれて前の用紙に重なるようではパンチ処理以降の工程に支障をきたし、複写機の処理速度に対応できなくなる。
【０００４】
特許出願2005-216562号の用紙処理装置は、用紙搬送部を搬送方向において複数に区切り、複数の搬送部を直列配置して夫々の送り速度を制御することによって上記の問題に対応している。用紙入り口側の第一搬送部は、複写機の用紙送り速度と等速で動作して複写機から用紙を受取り、用紙の後端が用紙入り口に配置したセンサを通過したとき、即ち用紙が完全に用紙処理装置内へ引込まれたときに、第一搬送部の駆動速度を高速に切換えて第二搬送部へ送り、高速駆動される第二搬送部以降の搬送部を通じてパンチ部へ送ることにより、次の用紙との間隔を開けて、パンチ処理中にパンチ部へ次の用紙が到達しないようにしている。そして、第一搬送部は用紙を第二搬送部へ受け渡したときに、複写機の用紙送り速度と等速に戻り、複写機からの次の用紙の供給を待つ。
【特許文献１】特開2000-185869号公報
【特許文献２】特許第3705761号公報
【特許文献３】特開2005-138549号公報
【発明の開示】
【発明が解決しようとする課題】
【０００５】
用紙送りの高速化を図った従来の用紙処理装置は、複写機から送込まれる用紙の後端が用紙入り口に配置したセンサを通過したときに駆動速度を高速に切換えて次の搬送部へ送るようにしているが、加速開始のタイミングをさらに早めることができれば、複写機を含めた全体の処理能力を向上させることが可能となる。そこで、本発明は、複写機から受取った用紙の加速開始タイミングを可及的に早期化することを目的とする。
【課題を解決するための手段】
【０００６】
この発明は、上記目的を達成するために提案するものであり、複写機から供給される用紙に対してパンチ処理或いはパンチ処理とリングバインダ装着処理などの後処理を行う用紙処理装置であって、用紙取込み前及び用紙取込み時には、用紙の搬送部の送り速度を複写機側の送り速度と等速に制御し、用紙引込み検知センサにより用紙引込み完了を検知した時点で搬送部の送り速度を高速化してパンチ処理などへ搬送する制御手段を備えた用紙処理装置において、複写機側に設けられた用紙排出完了センサの排出完了信号を受信した時点で搬送部の送り速度を高速化する制御手段を備えたことを特徴とする用紙処理装置を提供するものである。
【０００７】
また、上記用紙引込み検知センサにより用紙引込み完了を検知した時点で搬送部の送り速度を高速化してパンチ処理などへ搬送する制御手段と、複写機側に設けられた用紙排出完了センサの排出完了信号を受信した時点で搬送部の送り速度を高速化する制御手段とを任意に選択できる切換え手段を備えた用紙処理装置を提供するものである。
【０００８】
また、複写機の制御部と通信し、複写機の用紙排出完了信号通信機能の有無に応じて、用紙引込み検知センサにより用紙引込み完了を検知した時点で搬送部の送り速度を高速化してパンチ処理などへ搬送する制御手段と、複写機側に設けられた用紙排出完了センサの排出完了信号を受信した時点で搬送部の送り速度を高速化する制御手段とを自動的に切換える制御手段を備えた用紙処理装置を提供するものである。
【発明の効果】
【０００９】
本発明の用紙処理装置は、複写機側に設けられた用紙排出完了センサの排出完了信号を受信した時点で搬送部の送り速度を高速化するので、用紙の後端が用紙処理装置内へ完全に引込まれてから搬送部を高速化する従来機よりも早期に変速することになり、次に送込まれる用紙との間隔が拡張され、パンチ処理などに時間的余裕が生じて処理速度の高速な複写機に対応することができる。
【発明を実施するための最良の形態】
【００１０】
この発明は、複写機から供給される用紙に対してパンチ処理或いはパンチ処理とリングバインダ装着処理などの後処理を行う用紙処理装置であって、用紙取込み前及び用紙取込み時には、用紙の搬送部の送り速度を複写機側の送り速度と等速に制御し、用紙引込み検知センサにより用紙引込み完了を検知した時点で搬送部の送り速度を高速化してパンチ処理などへ搬送する制御手段を備えた用紙処理装置において、複写機側に設けられた用紙排出完了センサの排出完了信号を受信した時点で搬送部の送り速度を高速化する制御手段を備えることにより、用紙を完全に引込んだ時点で搬送部の送り速度を高速化する従来機よりも加速開始のタイミングを早めるという目的を達成した。
【実施例１】
【００１１】
図１は、用紙処理装置の一例として、パンチ処理及びリングバインダ装着処理を行う用紙処理装置1の概要を示している。用紙処理装置1の機械的構成は、本願出願人が先に提案している用紙処理装置（特許出願2005-216562号）と同一であり、複写機21に連結されて複写機21が排出する用紙に対して上記の処理を行うもので、用紙処理装置の下流にオプションとしてステープル処理装置などのフィニッシャ31やソーティングトレイユニットなどを連結することができる。
【００１２】
用紙処理装置1内の上部に水平に配置された搬送部2は、直列配置した第１乃至第４の送りローラ装置3，4，5，6によって構成されており、動作モードとしてパススルーモードを選択した場合、複写機から送込まれた用紙は四つの送りローラ装置3，4，5，6を通過して後段のオプションフィニッシャ31へ排出される。
【００１３】
バインド処理モードを選択した場合、用紙は第４送りローラ装置6で停止した後に、第３送りローラ装置5と第４送りローラ装置6の中間に配置されている方向切換えフラップ（図示せず）が開くとともに第４送りローラ装置6が逆転駆動され、用紙は第４送りローラ装置6から前方（図において右）斜め下に向けて配置されているスイッチバック搬送部7へ送られる。送りローラ（図示せず）を備えたスイッチバック搬送部7の先にはパンチ部8が配置されていて、一旦停止した用紙に対してパンチ処理を行い、パンチ処理後に用紙は送りローラによってバインダ部9内の紙揃えテーブル10へ送られる。
【００１４】
バインダ部9は、バインダカートリッジ11とバインダ装着機構12を備えており、紙揃えテーブル10へ一冊分のパンチ処理済用紙が貯まると、バインダ装着機構12がバインダカートリッジ11から一本のリングバインダを取出し、リングバインダを保持した上端部が後方（図において左）へ回動して紙揃えテーブル10上の用紙へリングバインダを装着する。リングバインダを装着された用紙は排出部13へ落下し、排出部13のベルトコンベヤ14，15により後方上部へ向けて送られ、スタッカ16内へ落下して積載される。
【００１５】
搬送部2に配置した用紙センサS101，S102，S103と、スイッチバック搬送部7及びパンチ部8の用紙センサS201，S202と、バインダ部9の用紙センサS301，紙厚センサS302、バインダカートリッジ11のリングサイズセンサS303やバインダ残量センサS304、排出部13の用紙センサS401，S402等全てのセンサは、図２に示すようにそれぞれ用紙処理装置の制御部17へ接続されている。
【００１６】
制御部17は複写機21の制御部と通信し、複写機21の操作パネルで設定された作業モードにしたがって搬送部2、スイッチバック搬送部7、パンチ部8、バインダ部9、排出部13の制御を行い、パススルーモード或いはバインド処理モードでの処理を実行する。処理実行にあたっては、上記各センサS101〜S402の信号に基づいて、送り、パンチ処理、バインド処理などの各工程のシーケンスを制御し、センサのオンオフのタイミング、オン又はオフの継続時間などでセンサ信号が異常を示す場合は、複写機21の制御部へエラーコードを送信するとともに、用紙処理装置1の動作を停止する。複写機21の制御部は、エラーコード、エラー発生箇所、エラーの内容（紙詰まり、パンチ部やバインダ部のジャミング、消耗品不足など）及び対処方法を操作パネルの表示部（図示せず）に表示する。
【００１７】
また、制御部17は、複写機21内に設けられた各種のセンサS001〜S00Xの内で、用紙排出口近傍に配置されている用紙排出検知用のセンサS00Xの排出完了信号を、複写機21の制御部から受信して搬送部2の第１送りローラ装置3の送り速度を制御する。
【００１８】
図3は第１送りローラ装置3の送り速度制御ルーチンを示し、スタンバイ状態から複写機の起動信号を受信して各機構部が起動し（ステップ101）、第１送りローラ装置3の送りローラは、複写機の送りローラと同一の周速度で回転駆動される（ステップ102）。これは、いうまでもなく、送出し側（複写機）の送り速度と受取り側（第１送りローラ装置3）の送り速度が一致していないと、用紙が引張られて損傷する虞があるためである。
【００１９】
用紙は、複写機2の用紙排出検知用のセンサS00Xを通過するまで、複写機の送り速度と等速で引込まれ、用紙の後端が複写機2の用紙排出検知用のセンサS00Xを通過したときに、制御部17はセンサS00Xの排出完了信号を受信してステップ103からステップ104へ進み、第１送りローラ装置3の送り速度を高速に切換える。これにより、用紙は送り速度が高速な第２送りローラ装置4以降へ受渡され、パンチ部まで短時間で搬送される。
【００２０】
また、第１送りローラ装置3は用紙を第２送りローラ装置4へ受渡した時点で、ステップ105からステップ102へ戻り、複写機の送りローラと同一の周速度に減速されて次の用紙の供給を待機する。第１送りローラ装置3の用紙送り完了検知手段は、センサによって用紙の後端通過を検知する構成か、用紙受取り後の第１送りローラ装置3の送りローラの回転数を計測して、用紙長と等しい送り長となったときに用紙送り完了とみなす構成のいずれでもよい。
【００２１】
このように、用紙の後端が複写機の送りローラから離れた時点で第１送りローラ装置3の送り速度を高速に変速することにより、用紙の後端が用紙処理装置1内へ完全に引込まれてから第１送りローラ装置3を高速化する従来機よりも早期に変速することになる。即ち、用紙の後端が複写機の送りローラから離れた時点から用紙処理装置内へ完全に引込みまでの時間分、変速タイミングが早期化することによって、次の送込まれる用紙との間隔を広くすることができ、処理速度の高速な複写機にも対応することができる。
【００２２】
尚、上記した速度制御は、複写機21の用紙排出検知用センサS00Xの信号を用紙処理装置1へ送信可能な構成が前提となっているが、用紙排出検知用センサS00Xを備えない複写機、或いは用紙排出検知信号を用紙処理装置へ送信する機能を有しない複写機へ用紙処理装置1が接続される場合もある。この場合は、従来機と同様に用紙処理装置1の用紙入口近傍に配置したセンサS101の用紙通過信号に基づいて送り速度制御を行わざるを得ず、必要に応じてこれら二種類の制御モードを選択できるように構成しておけば、上記二種類の複写機に対応することができる。
【００２３】
図4は、複写機が用紙排出検知信号送信機能を有しない場合の第１送りローラ装置3の送り速度制御ルーチンを示し、制御内容は従来機と同様であって、図３の制御ルーチンとはステップ103が相違するのみである。
【００２４】
先ず、スタンバイ状態から複写機の起動信号を受信して各機構部が起動し（ステップ201）、第１送りローラ装置3の送りローラは、複写機の送りローラと同一の周速度で回転駆動される（ステップ202）。用紙は、用紙入口近傍のセンサS101を通過するまで、複写機21の送り速度と等速で引込まれ、用紙の後端がセンサS101を通過したときに、ステップ203からステップ204へ進み、第１送りローラ装置3の送り速度を高速に切換える。これにより、用紙は送り速度が高速な第２送りローラ装置4以降へ受渡され、パンチ部8まで高速搬送される。第１送りローラ装置3は用紙を第２送りローラ装置4へ受渡した時点で、ステップ205からステップ202へ戻り、複写機21の送りローラと同一の周速度に減速されて次の用紙の供給を待機する。
【００２５】
尚、用紙処理装置を複写機に接続した時点で、用紙処理装置の制御部が複写機の制御部と通信し、複写機の用紙排出検知信号送信機能の有無に応じて、図3の制御モードか図4の制御モードかを自動的に選択するように構成してもよい。
【００２６】
尚、この発明は上記の実施形態に限定するものではなく、この発明の技術的範囲内において種々の改変が可能である。上記実施形態においては、パンチ及びバインダ装着処理を行う用紙処理装置の例を述べたが、パンチ処理機や他の形式の用紙処理装置などにも本発明の構成を適用することができ、この発明がそれらの改変されたものに及ぶことは当然である。
【図面の簡単な説明】
【００２７】
【図１】用紙処理装置の構成の一例を示す解説図。
【図２】用紙処理装置の電気回路ブロック図。
【図３】本発明の用紙処理装置の用紙送り速度制御のフローチャート。
【図４】従来の用紙処理装置の用紙送り速度制御のフローチャート。
【符号の説明】
【００２８】
1      用紙処理装置
2      搬送部
3      送りローラ装置
4      送りローラ装置
5      送りローラ装置
6      送りローラ装置
7      スイッチバック搬送部
8      パンチ部
9      バインダ部
10     紙揃えテーブル
11     バインダカートリッジ
12     バインダ装着機構
13     排出部
14     ベルトコンベヤ
15     ベルトコンベヤ
16     スタッカ
17     制御部
21     複写機
31     フィニッシャ
S001〜S00X    複写機のセンサ
S101〜S402    用紙処理装置のセンサ
【図１】
2008044687.tif 000003
【図２】
2008044687.tif 000004
【図３】
2008044687.tif 000005
【図４】
2008044687.tif 000006